(57)【要約】【課題】１本１本独立して形成しているため、密着させて完全な目隠し状の間仕切りを施工できると共に、必要に応じて隙間を明けて、空気の流通や採光することもできる。また、支柱本体を現場にて所要の寸法に切断して使用できるため、高さや長さを自由に調整できる。さらに、材質が軽量のため、水平方向にも使用でき、応用範囲が広がる。さらにまた、支柱本体に差し込み穴を設けることにより、枝や棒を差し込むことにより、より広い用途に使用できる間仕切り支柱を提供する。【解決手段】支柱本体の上面あるいは下面の少なくともどちらか一方にアジャスト具を設けてなる間仕切り支柱であって、床面と天井間あるいは壁と壁の間に設けてなることを特徴とする。【選択図】  図１
2004308391.tif 000002
【特許請求の範囲】
【請求項１】
支柱本体の上面あるいは下面の少なくともどちらか一方にアジャスト具を設けてなる間仕切り支柱であって、床面と天井間あるいは壁と壁の間に設けてなることを特徴とする間仕切り支柱。
【請求項２】
支柱本体が、発泡スチロール製であることを特徴とする請求項１記載の間仕切り支柱。
【請求項３】
支柱本体が、プラスチック製であることを特徴とする請求項１記載の間仕切り支柱。
【請求項４】
支柱本体が、竹製であることを特徴とする請求項１記載の間仕切り支柱。
【請求項５】
支柱本体が、所要の位置にて切断して使用できることを特徴とする請求項１、２、３又は４記載の間仕切り支柱。
【請求項６】
支柱本体の側面に差し込み穴を穿設してなることを特徴とする請求項１、２、３、４、又は５記載の間仕切り支柱。
【請求項７】
アジャスト具が、支柱本体の端面に取り付ける基板と、支持軸を突設してなる受板とからなり、支持軸が支柱本体内に、出入自在に形成すべく弾性体を設けてなることを特徴とする請求項１、２、３、４、５又は６記載の間仕切り支柱。
【発明の詳細な説明】
【０００１】
【発明の属する技術分野】
本発明は、室内の間仕切りとして、また目隠しやインテリアディスプレイとして使用できる間仕切り支柱に関するものである。
【０００２】
【従来の技術】
従来の技術としては、上下方向に向けられた多数本の棒状素材を隣接状態に並列させ、隣り合う棒状素材同士を、一方の棒状素材がもう一方の棒状素材の回りを相対的に回動変位するよう連結して構成された、曲面壁形成可能な間仕切り本体を備えていることを特徴とする可変間仕切りがある。（特許文献１参照）
【０００３】
【特許文献１】
特開２０００−４５４２９号公報（請求項１、図１）
【０００４】
【発明が解決しようとする課題】
上記従来例は、上下方向に向けられた多数本の棒状素材を隣接状態に並列させ、曲面壁形成可能な間仕切り本体を設けてなるもので、１本づつ単体で形成されているものではないため隙間を明けることができず、よって風を通したり、光を透過させたい場合等には使用できないものである。
また、上下方向に使用するものであり、水平方向（横方向）の間仕切り、例えば、エアコン等の目隠しには使用できない。
【０００５】
本発明は、上記の問題点に鑑みなされたもので、１本１本独立して形成しているため、密着させて完全な目隠し状の間仕切りを施工できると共に、必要に応じて隙間を明けて、空気の流通や採光することもできる。
また、支柱本体を現場にて所要の寸法に切断して使用できるため、高さや長さを自由に調整できる。
さらに、材質が軽量のため、水平方向にも使用でき、応用範囲が広がる。
さらにまた、支柱本体に差し込み穴を設けることにより、枝や棒を差し込むことにより、より広い用途に使用できる間仕切り支柱を提供するものである。
【０００６】
【課題を解決するための手段】
上記課題を解決するための手段として、支柱本体の上面あるいは下面の少なくともどちらか一方にアジャスト具を設けてなる間仕切り支柱であって、床面と天井間あるいは壁と壁の間に設けてなること。また、支柱本体が、発泡スチロール製であること。支柱本体が、プラスチック製であること。支柱本体が、竹製であること。さらに、支柱本体が、所要の位置にて切断して使用できること。さらにまた、支柱本体の側面に差し込み穴を穿設してなること。その上、アジャスト具が、支柱本体の端面に取り付ける基板と、支持軸を突設してなる受板とからなり、支持軸が支柱本体内に、出入自在に形成すべく弾性体を設けてなることを特徴とする。
【０００７】
【発明の実施の形態】
以下、本発明の間仕切り支柱について、図面に基づいて詳細に説明する。
１は、間仕切り支柱である。
２は、発泡スチロール製の横断面４角形状の支柱本体である。
３は、上記支柱本体２の上面２ａ及び下面２ｂに接着剤等により固着してなるアジャスト具で、中央に孔３ａ１を穿設すると共に、保持パイプ３ｂを突設した４角形状の基板３ａの保持パイプ３ｂ内に、中央に支持軸３ｃ１を突設してなる４角形状の受板３ｃの支持軸３ｃ１を挿入し、弾性体である圧縮スプリング３ｄにて上下動可能に形成してなる。
なお、受板３ｃ圧縮時において、圧縮スプリング３ｄが圧縮されると同時に支持軸３ｃ１が支柱本体２内に入り込み、より強固に支持固定するものである。
【０００８】
つぎに、間仕切り支柱１の使用例について下記に述べる。
例えば、事務所内において、簡易的なパーテーション（間仕切り）を行いたい場合、一例として、まず支柱本体２を所要の長さ（天井高に合わせて）に切断し、支柱本体２の上面２ａ及び下面２ｂにアジャスト具３の基板３ａを接着剤等で固着して取り付ける。
つづいて、間仕切り支柱１を天井Ｔ及び床Ｙ間垂直方向に立設すべく、上方のアジャスト具３の受板３ｃを天井Ｔに押し付けることにより圧縮スプリング３ｄが圧縮され、支持軸３ｃ１が支柱本体２内に入り込む。
その後、下方のアジャスト具３の受板３ｃを床Ｙに同様に押し付け、支持固定するものである。
なお、間仕切り支柱１は所要間隔Ｋを明けて風や光が通るようにしてもよく、完全な目隠しＭとしても使用できる。
また、直線上に配列してもよいが、平面湾曲状に形成してもよい。
【０００９】
他の使用例として、エアコンＡを目隠ししたい場合、壁Ｋと壁Ｋ１の間水平方向に間仕切り支柱１を複数本設けることもでき、多目的に使用できる。
【００１０】
つぎに、第２実施例の間仕切り支柱について説明する。
間仕切り支柱２１は、プラスチック製の横断面４角形中空状の支柱本体２２の少なくとも上面に、枠２３ａ２を形設してなる４角形状の基板２３ａを被せて固定するアジャスト具２３を設けてなるもので、側方に摩れにくいものである。
なお、必要に応じて枠２３ａ２の外側よりビス止め（図示せず）してもよい。
【００１１】
つづいて、第３実施例の間仕切り支柱について説明する。
間仕切り支柱３１は、竹による支柱本体３２の少なくとも上面節３２ａに固着すべく、両面テープＰを基板３３ａの下面に貼り付けてなるアジャスト具３３を設けてなるもので、両面テープＰ及び上面節３２ａに孔Ｐ１・３２ａ１を穿設してあり、自然の素材を使用することにより、落ち着いた空間を得ることができる。
【００１２】
最後に、第４実施例の間仕切り支柱について説明する。
間仕切り支柱４１は、支柱本体４２の側面に複数の差し込み穴４２ｂを穿設し、この差し込み穴４２ｂに、例えば小鳥ＫＴをあしらった枝Ｅや花Ｈをあしらった枝Ｅ１を取り付けてなるもので、四季に応じて色々なパターンが考えられ、室内に季節感を出すことができる。
【００１３】
なお、上記各実施例において、支柱本体の長さや横幅等は特に限定することなく、形状も多角形、円形、楕円形等、必要に応じて選定すればよい。
また、使用用途も事務所内あるいは家庭内での間仕切りや目隠し等に使用できる。
さらに、支柱本体とアジャスト具との固定方法は、接着や圧着・嵌着等、必要に応じて行えばよい。
さらにまた、支柱本体に色を付けたり、クロスを貼り付けたりすることもでき、アジャスト具も同様な機能を有すれば弾性体もゴム等を使用してもよい。
【００１４】
【発明の効果】
（１）、間仕切り支柱を１本１本独立して形成しているため、密着させて完全な目隠しにしたり、間隔を明けて風や光を通す簡易間仕切りとしても使用できる。
（２）、垂直方向にも水平方向にも使用でき、多目的に使用できるものである。
（３）、発泡スチロールやプラスチックを使用することにより軽量化でき、運搬も楽であり、上記のように水平方向に使用できる。
（４）、竹を使用することにより自然な空間をつくり出すことができ、節にアジャスト具を取り付けられ、基板が外側から見えないように固定できる。
（５）、必要な長さに支柱本体を切断して使用できるため、現場で即加工して施工できる。
（６）、アジャスト具の支持軸を支柱本体内に入れて施工できるため、全体の長さを短くできると共に、発泡スチロール製の場合、補強の役目もすることができる。
（７）、支柱本体に差し込み穴を設けることにより枝等を差し込み、バリエーションを増すことができ、周囲の空間にマッチした様々なパーテーションを施工できる。
【図面の簡単な説明】
【図１】本発明の間仕切り支柱の第１実施例を示す一部縦断正面図。
【図２】本発明の間仕切り支柱の第１実施例を示す平面図。
【図３】本発明の間仕切り支柱の使用例１を示す正面図。
【図４】本発明の間仕切り支柱の使用例２を示す正面図。
【図５】本発明の間仕切り支柱を水平方向に使用した状態を示す正面図。
【図６】本発明の間仕切り支柱の第２実施例を示す要部の正面図。
【図７】本発明の間仕切り支柱の第３実施例を示す要部の正面図。
【図８】本発明の間仕切り支柱の第４実施例を示す要部の正面図。
【符号の説明】
１−−−間仕切り支柱
２−−−支柱本体
３−−−アジャスト具
Ｔ−−−天井
Ｙ−−−床
【図１】
2004308391.tif 000003
【図２】
2004308391.tif 000004
【図３】
2004308391.tif 000005
【図４】
2004308391.tif 000006
【図５】
2004308391.tif 000007
【図６】
2004308391.tif 000008
【図７】
2004308391.tif 000009
【図８】
2004308391.tif 000010